Podtech/llm-jp-corpus-v4-ja_patent huggingface dataset:
(57)【要約】      （修正有）【課題】労働的負担が少なく、時間短縮が可能な溶接台車を提供する。【解決手段】溶接台車１は、水平面鋼材Ａ上に設置した溶接台車１のトーチ側垂直面鋼材Ｂに溶接点Ｙの外部下側に第１ガイドローラ７が当たる様に取り付け、トーチ側駆動輪２を水平鋼材Ａ上走行範囲位置内に設置して、溶接台車１下内側アームに取付けられた第２ガイドローラ８、を溶接台車１が水平面鋼材Ａと並行になる様にアームの長孔で調整し取付けることで、駆動輪２、第１ガイドローラ７、第２ガイドローラ８、３点で支えられ、垂直鋼材Ｂ、水平鋼材Ａに沿って走行しながら溶接作業ができる。【選択図】図３
0003233018.tif 000002
【実用新案登録請求の範囲】
【請求項１】
水平面と垂直面を有する鋼材の外部すみ肉を溶接する溶接台車であって、この溶接台車は前記鋼材の水平面に沿って走行する駆動輪と、前記鋼材の垂直面を挟むように両側面に接する第１ガイドローラと第２ガイドローラが設けられていることを特徴とする溶接台車。
【考案の詳細な説明】
【技術分野】
【０００１】  本考案は、四輪駆動小型溶接台車を二輪駆動のみと、第１，２、ガイドローラで走行自在に外部すみ肉溶接を行う小型の溶接台車である。
【背景技術】
【０００２】  溶接台車が走行する水平設置面が四輪駆動の設置面以下の走行が出来ない為、フリーハンドでの溶接、または、ターニングやポジッショナーを設置し、溶接する鋼材本体を固縛して溶接施工していた。
【考案の概要】
【考案が解決しようとする課題】
【０００３】  フリーハンドでの溶接、または、ターニングやポジッショナーへの固縛は、物量許容範囲内、設置場所、方法など時間的、労働的負担が多く溶接鋼材本体の天地回転のみで溶接台車での溶接により労働的負担が少なく時間短縮が可能であり前述の欠点を解決しようとするものである。
【課題を解決するための手段】
【０００４】  本考案は、溶接トーチを搭載した水平面鋼材上部に設置された溶接台車が走行しながら溶接を行う溶接台車において、溶接台車に設けられた溶接トーチ側駆動輪２と、外側２個の第１ガイドローラと、溶接トーチ側駆動輪２の下内側アームに取付けられた第２ガイドローラで構成されている。
前記駆動輪２が溶接台車自重で下方に押さえつけながら回転し、前記第１ガイドローラと、前記下内側アームに取付けられた第２ガイドローラで垂直面鋼材を挟み込み左右に走行するもので、台車自重のみの為、設置も安易である。
【考案の効果】
【０００５】  上述の様に、２輪駆動の為接地面が小さく例えば約６５ｍｍ以上の水平面巾と、例えば約６５ｍｍ巾以上の垂直面の、範囲の自動溶接を可能にした。又アームに取付けられたフリーガイドローラだけでの外側すみ肉溶接が可能なため、アームを取り外すことにより、本来の内側すみ肉溶接も簡単明瞭である。
【図面の簡単な説明】
【０００６】
【図１】本考案の溶接台車と溶接部材の平面図（一部切欠図）である。
【図２】溶接台車と溶接部材の正面図（一部切欠図）である。
【図３】溶接台車と溶接部材の側面図である。
【図４】溶接台車に取付けるアームの製作図である。
【考案を実施するための形態】
【０００７】  支持ロッド９はオプション対応品を使用して、下内側アームに取付けられた第２ガイドローラのアーム、ブラケットは製作し溶接台車側部のＭ６のタップ穴にアームが上下調整出来る様に施工し、前述ガイドローラ用取付け穴も前後調整出来る様に施工する。
【実施例】
【０００８】  以下、本考案の実施例を添付図面に基づいて説明する。本考案は２つの鋼材ＡとＢとを溶接するための溶接台車１であって、鋼材Ａは水平面４と垂直面４Ａとを有するＬ字型とされている。一方、鋼材Ｂは、前記鋼材Ａの垂直面４Ａに沿う垂直面５を有している。この鋼材Ｂは垂直面５よりも下側は真直ぐであったり、Ｌ字型に曲がったりするなど形状は種々考えられる。この鋼材Ａと、鋼材Ｂとが溶接台車１の溶接トーチ３によって鋼材Ｂの上端部と鋼材Ａの垂直面４Ａの上部とが溶接Ｙされる（図３参照）。尚、鋼材Ａと鋼材Ｂとは、溶接トーチ３で溶接される前に仮溶接している。【０００９】  溶接台車１は、前記した鋼材Ａの水平面４の上面を走行するための駆動輪２を備えている。また、この溶接台車１は、溶接台車１に設けられた支持ロッド９に、前記鋼材Ｂの垂直面５に接して走行する第１ガイドローラ７が取り付けられている。【００１０】  さらに、溶接台車１には、前記鋼材Ａの垂直面４Ａに接して走行する第２ガイドローラ８がアーム６とブラケット１０とを介して取り付けられている。これによって溶接台車１は、駆動輪２と、第１ガイドローラ７と、第２ガイドローラ８とによって鋼材Ａおよび鋼材Ｂ上を溶接しながら走行するようになる。
【符号の説明】
【００１１】１    溶接台車
２    駆動輪
３    半自動溶接トーチ
４    水平面
５    垂直面
６    アーム
７    第１ガイドローラ
８    第２ガイドローラ
９    支持ロッド
１０  ブラケット
【図１】
0003233018.tif 000003
【図２】
0003233018.tif 000004
【図３】
0003233018.tif 000005
【図４】
0003233018.tif 000006
(57)【要約】      （修正有）【課題】飲食がしやすく、飛沫が拡散されない二俣感染防止フェイスシールドを提供する。【解決手段】リング１の両側に突起物２を設け、アクリル板３の上部の両側にあけた穴４を突起物２に差し込み、アクリル板３の縦と下の縁を内側に鋭角に折り返して折り返し部５とする二俣感染防止フェイスシールドである。顔の前にあるアクリル板と口の隙間を広くし、アクリル板の下端を外方に動かせることによって隙間を広くできる。【選択図】図１
0003233021.tif 000002
【実用新案登録請求の範囲】
【請求項１】
着脱可能なリングの両側に突起物を設け、アクリル板の上部の両側に穴を空け、アクリル板の穴をリングの突起物に差し込み、アクリル板の縦と下の縁を内側に鋭角に折り返して折り返し部とした二俣感染防止フェイスシールド。
【考案の詳細な説明】
【技術分野】
【０００１】  この実用新案は、新型コロナウイルスを含む飛沫がフェイスシールドの内側に付着されて拡散を防いで感染を防止する二俣感染防止フェイスシールドに関するものである。
【背景技術】
【０００２】  顔と側頭部の前面にあるアクリル板が固定されて、且つ隙間が狭いので、コップを使ったり箸やスプーンを使ったりする会食や飲食が不自由である。
アクリル板の縦と下の縁が何ら加工を施されていないので、隙間が開放的で、飛沫が拡散されやすい。
【実用新案の概要】
【実用新案が解決しょうとする課題】
【０００４】  これは、次のような欠点があった。
飲食をするにはアクリル板との隙間が狭く不自由である。
アクリル板の縦と下の縁が何ら加工を施されていないので、隙間が開放的で、飛沫が拡散されやすい。
本実用新案は、以上のような欠点をなくすためになされたものである。
【課題を解決するための手段】
【０００５】  リングの両側に突起物を設ける。リングは頭部に着脱可能とする。アクリル板の上部の両側に穴を空ける。アクリル板の穴をリングの突起物に差し込めばアクリル板を円周的に外方に開くことができる。アクリル板の縦と下の縁を内側に鋭角に折り返して折り返し部とする。
本実用新案は、以上の構成よりなる二俣感染防止フェイスシールドである。
【実用新案の効果】
【０００６】  アクリル板を外方に開くことができるので不自由なく飲食することができる。折り返し部を設けることで、可及的に拡散を防ぐことができる。
【図面の簡単な説明】
【０００７】
【図１】  本実用新案の断面図である
【実用新案を実施するための形態】
【０００８】  以下、本実用新案を実施するための形態について説明する。
人の頭部に着脱可能なリングの両側に突起物を設ける。アクリル板の上部の両側に穴を空け、突起物に差し込めば、下端を手で外方に押し開けると飲食ができる十分な隙間ができる。アクリル板の縦と下の縁を内側に鋭角に折り返して折り返し部とすれば飛沫の拡散を可及的に防げる。
【符号の説明】
【０００９】１        リング
２        突起物
３        アクリル板
４        アクリル板の穴
５        折り返し部
【図１】
0003233021.tif 000003
(57)【要約】      （修正有）【課題】軽量で、持ち運びに便利で、新型コロナウイルス感染やインフルエンザウイルス感染を予防する飛沫防止メガホンを提供する。【解決手段】飛沫防止メガホンは、円錐台形状のメガホン本体を含み、メガホン本体は、携帯するのに便利なようにくるくると筒状に巻いて収納することができ、素材は、文房具の下敷よりも薄い約０．４ｍｍ厚さで軽く、まげやすい。メガホンの長さは、３０ｃｍ〜３３ｃｍであり、ウイルスの飛沫感染を防ぐために、メガホンの先口には、円型の医寮用不織布（マスク等にも使っている不織布）を、面ファスナーで簡単に被うように取り付ける。使用後の不織布は、その場に捨てずに、メガホン入れる袋の下の段の方のポケットに入れて持ち帰るようにする。【選択図】図３
0003233032.tif 000002
【実用新案登録請求の範囲】
【請求項１】
スポーツ観戦をする際、観客用の応援メガホンに新型コロナやインフルエンザ等のウイルス感染を防ぐための飛沫防止ができる（使い捨ての）膜で被う。
もちろんマスクは着用した上で使用する。声が出る方向を抗菌シートのような膜で被うことにより、応援する側も、応援される側も安心であり、かつ観客席でそれ程大声を出さなくてもメガホンにより声が拡声される。プレーヤーにも声が届き、プレーする側も嬉しいだろう。また、観客は、声を発する事でストレス発散にもなるかと思われる。マスク着用のまま使用することを考慮して従来のメガホンよりも口を当てる部分は大きめにしておく。
【請求項２】
持ち運びにコンパクトになるように工夫した。収納時には、くるくると巻いて袋に入れバッグなどに入れられるくらいの大きさになる。
使う時は、さっとマジックテープ（登録商標の（株）クラレの物を使用）のところで簡単に（３秒程度で）くっつけ組み立てることができるので、子供達にでも容易に出来る。使用しない時は、首から下げることも考慮した。（安全のためにゴムひもにした方が良い。）
【考案の詳細な説明】
【技術分野】
【０００１】本考案は、コンパクトに収納して持ち運べるように、マジックテープを用い、かつウイルス感染を防ぐために、メガホンの先にマスク等に用いている医療用の不織布を装着する。（被う。）
【背景技術】
【０００２】メガホンは、スポーツ会場への道中はバッグの中で荷物として重ばってしまったり、加えて、コロナ禍では、飛沫感染防止のため声を出すことは極力控えるようにせざるをえないが、選手への声援もしてやりたいので、これを考案した。
【先行技術文献】
【特許文献】
【０００３】自分は、参考にした訳ではないが、先行技術文献がないかどうか検索したら、番号などは分かりませんが、折りたたみ式（おうぎ形のような）メガホンがありました。それが出願中なのか実用化されたのかは知りません。
【考案の概要】
【考案が解決しようとする課題】
【０００４】従来のメガホンだと、持ち運ぶ荷物として重ばってしまうという欠点がある。もう１つの課題は、この２０２０年１月末からのコロナ禍では、大きな声を出すと周りの人にウイルス飛沫感染の恐れがある。
【課題を解決するための手段】
【０００５】持ち運びが軽くてコンパクトになるよう考案したので、重ばらず、軽い。本体の材料は、０．４ｍｍ位の薄い下敷のようなポリプロピレンシーを扇形のように切り（中心角は、５８°〜６０°くらいがちょうどいい形になる。）メガホンの先口には、マスクと同じような医寮用の不織布をぐるっと一周マジックテープがはじめからついているのでそこに貼りつけるだけで飛沫が外へは出ないしくみにした。色は元気の出る黄色や赤などが良いかと思われる。拍手をしたり手離しに出来るよう首から下げるひもを付ける。
【考案の効果】
【０００６】前述の５で述べたように本来のメガホンよりは、マスク着用とメガホンの先口の不織布のせいで少々音量は小さくなるかもしれないが、安心，安全を先行して、応援ができる。
【図面の簡単な説明】
【０００７】
【図１】本考案の軽量コンパクト収納式ウイルス飛沫防止シート付メガホンの一実施例を示す図である。
【図２】本考案のメガホンを広げた時の展開図である。
【図３】コンパクトに収納したところから使用時と使用後までの説明図である。
【産業上の利用可能性】
【０００８】野球場や、サッカー場などではもちろんのこと、誰でも買い求めやすい場所で販売し、その他、安価に買えるような３００円均一ショップ店などでも販売して欲しい。（販声価格は材料費や加工賃によるだろう。）
【図１】
0003233032.tif 000003
【図２】
0003233032.tif 000004
【図３】
0003233032.tif 000005
【手続補正書】
【提出日】令和3年4月5日(2021.4.5)
【手続補正１】
【補正対象書類名】実用新案登録請求の範囲
【補正対象項目名】全文
【補正方法】変更
【補正の内容】
【実用新案登録請求の範囲】
【請求項１】
口元側から先口に向って徐々に円周が大きくなる円錐台形状のメガホン本体とメガホン本体の先口に円周方向に沿って全周にわたり貼りつけられた面ファスナーと面ファスナーに先口が塞がるように取り付けられた抗菌の不織布とを備えたことを特徴とする飛抹防止メガホン。
【請求項２】
メガホン本体が扇形のシートの両端を接合して丸めたものであり接合部分が面ファスナーで着脱自在に接合され接合時に扇形のシートが円錐台形状のメガホン本体となり離脱時に平面上の扇形のシートを筒状に巻くことが出来、円筒状になることを特徴とする請求項１に記載の飛抹防止メガホン。
(57)【要約】      （修正有）【課題】裄の調整が出来、裄の長い着物に合わせる半襦袢に適応する面ファスナー付きの筒袖半襦袢を提供する。【解決手段】半襦袢本体１の肩幅を広くし、筒袖２に面ファスナー２ａ〜２ｄを縫い付け、同じく面ファスナーを付けた替え袖の取り付け位置を調整することで裄の長さ調整を自由に行い、桁の長い着物にも適応する。且つ、胸紐３の幅を広くし胸部圧迫のない低い位置に縫い付けることで衣紋が詰まることなく着崩れを防止し、胸元や衿元が苦しくなく着心地の良い着付けに役立つ。【選択図】図１
0003233037.tif 000002
【実用新案登録請求の範囲】
【請求項１】
長い裄寸法の着物でも襦袢の袖がちょうど良い位置に調整ができ、快適に美しく衣紋を抜くことができる位置に縫製した幅広の胸紐が付いた、面ファスナー付きの筒袖半襦袢。
【考案の詳細な説明】
【技術分野】
【０００１】  本考案は、長い裄寸法の着物でも襦袢の袖が着物の袖の振りから出ず、快適に美しく衣紋を抜ける位置に縫製した幅広の胸紐を縫い付け、筒袖には替え袖を付けられる面ファスナーが付いた筒袖半襦袢である。
【背景技術】
【０００２】  既存の半襦袢では裄寸法が短く、着物と襦袢の裄寸法が合わないため、着物の袖の振りから襦袢の袖が見えてしまう。既存の半襦袢に付属の胸紐は、縫い付け位置が上過ぎるため、衿合わせの首元が苦しくなり、胸紐の幅が細いので胸部が圧迫されて苦痛である。
【考案の概要】
【考案が解決しようとする課題】
【０００３】  着物と襦袢の裄の寸法が合わない場合、着物の袖の振りから襦袢の袖が見える状態となり、美観を損なう上、着物の袖裏に皮脂の汚れなどがつきやすい。胸紐が細く、付け位置が上過ぎるのは、衣紋が詰まり首が苦しくなる。胸紐が細く、その付け位置が上にある場合、胸部の圧迫感があるので着心地が悪く、首元が締まりやすい。
【課題を解決するための手段】
【０００４】  本考案は、裄の長い着物に合わせられるよう、半襦袢の裄寸法を長くするため、肩幅を広くすることで問題点を解決している。さらに、半襦袢の筒袖部分に面ファスナーをつけることで替え袖の付け位置を調整し、着物の袖の振りから襦袢の袖が出ない様に自由に調整が可能である。また、胸紐の位置を下げて紐幅を広くすることで、胸部圧迫感や着崩れの問題点を解決している。
【考案の効果】
【０００５】  上述の様に、本考案の裄長半じゅばんは、半襦袢本来の襦袢としての機能を有することは無論、肩幅が広く、替え袖の付け位置を調整することで、裄の長い着物を着た時でも半襦袢の袖の振りが着物の袖の振りから出ることなく着ることが可能である。また、胸紐の位置を低くして紐幅を広くすることにより、胸元の圧迫感が軽減され、美しい衣紋を保持した快適で安定した着付けを実現することに役立つ。
【図面の簡単な説明】
【０００６】
【図１】本考案の裄長半じゅばんの正面図である。
【図２】本考案の裄長半じゅばんの後ろの図である。
【考案を実施するための形態】
【０００７】  半襦袢の身頃には楊柳生地を使用して伸縮性と着付けを簡単にして安定性を持たせた。半襦袢の肩幅を広くすることで、着物の袖の振りから半襦袢の袖の振りが出るのを防いでいる。半襦袢の袖部分に縫い付けた面ファスナーは、替え袖を付ける位置を調整が可能であり、着物の袖の振りから替え袖の振りが出ないよう調整できる。胸紐の幅を広くしたことで、胸紐を締めた時の胸部圧迫感を軽減し、胸紐の縫い付け位置を低くすることにより、衣紋が詰まらず、苦痛なく快適な衿元に着付けができる。
【実施例】
【０００８】  以下、添付図面に従って一実施例を説明する。１は半襦袢の本体で楊柳生地を用いている。２は綿素材の筒袖で、前袖では２ａと２ｂと２ｃと２ｄの位置に、後ろ袖では２ｅと２ｆと２ｇと２ｈの位置に面ファスナーが縫い付けられている。３は衿に縫い付けられた綿素材の胸紐、４は衿に縫い付けられたポリエステル塩瀬の半衿、５は衽部分。【０００９】  本考案の一実施例は上述の如き構成からなるものであるから、半襦袢本体１の半襦袢として用いることは勿論であるが、筒袖の２ａと２ｂと２ｃと２ｄと２ｅと２ｆと２ｇと２ｈに縫い付けてある面ファスナーに替え袖を付けることで裄の長い着物に対応する半襦袢として着用できる。
【符号の説明】
【００１０】１    半襦袢本体
２    半襦袢筒袖
２ａ  半襦袢筒袖に縫い付けている面ファスナー
２ｂ  半襦袢筒袖に縫い付けている面ファスナー
２ｃ  半襦袢筒袖に縫い付けている面ファスナー
２ｄ  半襦袢筒袖に縫い付けている面ファスナー
２ｅ  半襦袢筒袖に縫い付けている面ファスナー
２ｆ  半襦袢筒袖に縫い付けている面ファスナー
２ｇ  半襦袢筒袖に縫い付けている面ファスナー
２ｈ  半襦袢筒袖に縫い付けている面ファスナー
３    半襦袢胸紐
４    半襦袢半衿
５    半襦袢衽
【図１】
0003233037.tif 000003
【図２】
0003233037.tif 000004
(57)【要約】      （修正有）【課題】東スカート本体を長くすることで和装肌着としての機能を有し、背が高い人でも十分な裾丈に着付けができる東スカートを提供する。【解決手段】東スカート本体１の裾丈を長くして、裾丈の長さを調整できると共に、背が高い人でも長襦袢丈に着付けができる裾丈を有し、腰布２と本体１との縫い目の段差が表に響かない位置に配置した東スカートであって、和装下着として機能することは勿論、本体１の身丈を長くすることで裾丈の調整が自由にでき、背が高い人でも足が見えることなく長襦袢の裾丈に調整できる長さを十分に有し、着付けの簡略化と快適性を得ることに役立つ。【選択図】図１
0003233038.tif 000002
【実用新案登録請求の範囲】
【請求項１】
東スカート本体の裾丈を長くして、裾丈の長さを調整できると共に、背が高い人でも長襦袢丈に着付けができる裾丈を有し、腰布と本体との縫い目の段差が表に響かない位置に配置した東スカート。
【考案の詳細な説明】
【技術分野】
【０００１】    本考案は、背が高い人でも裾丈が短くならないように着付けができ、且つ、本体と腰布との縫い目の凸凹が着物に響かない東スカートに関するものである。
【背景技術】
【０００２】    既存の東スカートはどれも適応身長の設定が低いため、希望の裾丈よりも短く、別布を縫い足して身丈をのばし裾丈を長くしていた。
【考案の概要】
【考案が解決しようとする課題】
【０００３】    裾丈が短い東スカートは肌の露出につながる可能性があり、和装下着としての機能が十分ではない。従って、身丈を長くすることにより、和装下着としての機能を保持することは勿論、長襦袢の裾丈に着付けができる利点も有し、和装肌着の機能性と快適さを有することとなり、前述の欠点を解決しようとするものである。
【課題を解決するための手段】
【０００４】      本考案は、東スカート本体の身丈を長くすることにより肌の露出を避け、和装下着としての機能を有することは勿論、裾丈を自由に調整することが可能となる。背の高い人でも長襦袢の裾丈に着付けができる十分な身丈を有することで、着付けの簡略化と快適性を獲得することで問題点を解決している。
【考案の効果】
【０００５】    上述の様に、本考案の背たか東スカートは和装下着として機能することは勿論、本体を長くすることで裾丈の調整が自由にでき、本体と腰布との縫い目の凸凹が着物にひびかず、背が高い人でも長襦袢の裾丈に調整できる長さを十分に有し、着付けの簡略化と快適性を得ることに役立つ。
【図面の簡単な説明】
【０００６】
【図１】本考案の背たか東スカートの実施例を示す正面図である。
【図２】本考案の背たか東スカートの実施例を示す後ろ正面図である。
【考案を実施するための形態】
【０００７】    東スカート本体の身丈は身長１８０ｃｍの方でも十分覆える長さをとり、素材の異な    る腰布の切り替え部分の凸凹が、着物の表面に響かない位置に寸法をとり、裾丈が自    由に調整でき、且つ、長襦袢の裾丈に着付けができる長さを有する。
【実施例】
【０００８】    以下、添付図面に従って実施例を説明する。
【符号の説明】
【０００９】    １  東スカート本体
２  腰布
３  奥布
４  折り返し布
５  紐
【図１】
0003233038.tif 000003
【図２】
0003233038.tif 000004
(57)【要約】      （修正有）【課題】廃棄またはリサイクルされているアルミ缶を使った風車を提供する。【解決手段】アルミ缶の底部を輪切りにして軸受け４とし、缶の胴体を羽根１として切り出し、外側に広げて曲げた構成とする、缶の根本の一部を固定用の爪２として、折り曲げて軸受けを固定する。【選択図】図１
0003233945.tif 000002
【実用新案登録請求の範囲】
【請求項１】
アルミ缶風車において、回転する羽根を構成する缶の一部を、羽根と軸受けを固定するための爪とし、軸受けに爪を折り曲げて固定したところを特徴とする風車
【考案の詳細な説明】
【技術分野】
【０００１】  本実用新案はアルミ缶風車における羽根と軸受けの固定の組み合わせに関するものである。
【背景技術】
【０００２】  アルミ缶は大量に消費されているが再利用の商品は少ない。【０００３】  インターネットでこの種のアルミ缶風車を検索しても本案のような風車は見あたらない。
【考案の概要】
【考案が解決しようとする課題】
【０００４】  １、風車の羽根と軸受けの固定が困難なため、本案に似たアルミ缶の風車は現在商品として存在していない。
２、アルミ缶の形状とアルミの金属特性を勘案して風車の羽根と軸受けを固定する組み合わせを確立したら新しい風車ができる。
【課題を解決するための手段】
【０００５】  アルミ缶風車を作る際、羽根の根本の一部分を、軸受け固定のための爪にして、折り返すと、アルミの金属特性で固定される。
【考案の効果】
【０００６】  羽根を構成する缶の一部分を爪にして折り曲げることにより、他の部品を使うことなく固定できるアルミ缶風車ができた。
【図面の簡単な説明】
【図１】はアルミ缶風車の正面図である
【図２】はアルミ缶風車のＡ−Ａ´の断面図である
【考案を実施するための最良の形態】
【０００７】  コロナ禍で職を無くした人々が作り方を知り制作できる。【０００８】  自宅で作ってインターネットで出品販売決済する。
【実施例１】
【０００９】  以下、添付図面に従って実施例を説明する。［図１］１はアルミ缶を切り出した羽根、２は羽根を構成する缶の一部を、羽根と軸受けを固定するために切り出した爪。３は軸穴、４はアルミ缶底の部分を輪切りにした軸受け。
【実施例２】
【００１０】  ［図２］の羽根１と軸受け４を図のように組み合わせて、爪２を折り曲げて固定した。
【実施例３】
【００１１】  アルミ缶の風車は人の目を引く飾り物として、また風に反応して回る風車は心が癒されると好評である。
【産業上の利用可能性】
【００１２】本案を利用して制作、販売することにより個人の豊かさを増進できると考える。
【符号の説明】１は風車羽根
２は風車羽根と軸受け固定用爪
３は風車羽根の軸受け穴
４は風車羽根の軸受け
【図１】
0003233945.tif 000003
【図２】
0003233945.tif 000004
(57)【要約】      （修正有）【課題】顔の複雑な部分を表現し、同じ顔を作成でき、縁起だるまとして目を入れやすくできるだるまを提供する。【解決手段】石製だるま本体１を円錐台に成形し、その外周面２を本磨きすることでだるまの顔が描かれたシール３の密着した貼着を実現した。石製だるま本体１は複雑な曲面が少なく、外周面に凹凸が無い為、本磨きをしやすい形状となっており、且つ、だるまの顔が描かれたシール３の貼着を容易に行う事を可能とした。円錐台は重心が低く末広がりの形状をしており縁起だるまとして相応しい形となっている。【選択図】図３
0003233948.tif 000002
【実用新案登録請求の範囲】
【請求項１】
顔の描かれたシールを石製で外周面を本磨きした本体に貼着したことを特徴としただるま。
【請求項２】
本体の形を円錐台にした請求項１に記載のだるま。
【考案の詳細な説明】
【技術分野】
【０００１】  本考案は石製だるまに関するものである。
【背景技術】
【０００２】  従来の石製だるまは顔を彫刻するものであった。
【先行技術文献】
【特許文献】
【０００３】
【特許文献１】実全昭６３−１２０６８８
【考案の概要】
【考案が解決しようとする課題】
【０００４】  従来の石製だるまは顔を彫刻している為、髭など複雑な部分を表現することや同じ顔を彫刻することが難しい。また縁起だるまの特徴である目を書き入れるのに石は不向きである。さらに石材をだるま型に削り出して成形し更に顔の部分を彫り込んでから顔を彫刻するには熟練者でも難しく且つ成形時に石の欠点である黒ダマ、ボサ  白疵等が出ると大きさや場所によって廃棄となる場合がありコストアップの要因となる。また石材にシールを貼着するにはシールの浮き上がりや剥がれを防止する必要がありこれらの問題点を解決しようとするものである。
【課題を解決するための手段】
【０００５】  本考案は、石製だるまの顔をシールで作成することで、顔の複雑な部分の表現や同じ顔を複数つくること、だるまの目に書き入れを容易にすることが可能となる。石製だるま本体の形状を円錐台にすることで石の削り出し及び本体の成形を容易にし、その外周面の本磨きを容易にでき且つ、外周面を本磨きすることで密着したシール貼着ができ、シールの浮き上がりや剥がれを防ぐ事により問題点を解決している。
【考案の効果】
【０００６】  上述の様に本考案の石製だるまは顔の細部まで表現でき、顔の複製も容易にでき、カラーにすることもでき、シールの素材を選ぶ事で目を書き入れやすくすることができる。本体は円錐台形なので同じ形の成形や本磨きが容易になる。重心が低くなることで置いたときに安定させられる、且つ、末広がりなので縁起だるまの形としても相応しい。石は天然素材の為、本磨きをすると石材にある欠点の黒ダマ、ボサ  白疵等があると目立つようになるが円錐台は正面を自由に選べる為、顔の位置を調整することで欠点を目立たない位置にでき、廃棄の低減に繋がりコストダウンができる。
【図面の簡単な説明】
【０００７】
【図１】  本考案の一実施例の石製だるま正面図である。
【図２】  本考案の一実施例の石製だるま平面図である。
【図３】  本考案の一実施例の石製だるま上方からみた斜視図である。
【図４】  本考案の石製だるま裏面からみた切り欠き図である。
【考案を実施するための形態】
【０００８】  石製だるま本体に顔を描いたシールを貼着するという目的を本体の形を円錐台にすることで成形と外周面の本磨きを容易にし、本磨きすることで密着した貼着を実現した。
【実施例】
【０００９】  以下、添付図面に従って一実施例を説明する。図１〜図４の１は石を円錐台に成形しただるま本体、２は本磨きされた外周面、３はだるまの顔を描いたシールで１の本体に貼着している。図４の４は本体内部の石材である。
【符号の説明】
【００１０】１  石製だるま本体
２  本磨きされた外周面
３  だるまの顔が描かれたシール
４  石製だるま内部
【図１】
0003233948.tif 000003
【図２】
0003233948.tif 000004
【図３】
0003233948.tif 000005
【図４】
0003233948.tif 000006
(57)【要約】      （修正有）【課題】指、指先のみを使う場合に、手袋を外す必要が無い手袋を提供する。【解決手段】手袋の指先を塞いでしまわず、セーターの首部分から頭を出すように、手袋の指先を開閉自由な伸縮性のあるゴム、糸等を利用して閉じて、自由に出し入れ出来るようにする。【選択図】図１
0003233946.tif 000002
【実用新案登録請求の範囲】
【請求項１】
手袋の指先を塞がず、伸縮性のあるゴム、糸等で閉じて、手先指先を自由に出し入れ出来る、普通に見える手袋
【考案の詳細な説明】
【技術分野】
【０００１】  本考案は、常に手袋としての役割を果たしながら、手袋を外さず、自由に指、指先のみ出し入れ可能に使える手袋に関するもの。
【背景技術】
【０００２】  従来は、用途に応じて、５本指、ミトン等全体の保護の手袋、作業用等の指先が出た手袋で、指部分が塞いでいるか空いているかの手袋があった。
【考案が解決しようとする課題】
【０００３】  手の甲や手のひらに比べて指先を使い頻度は極端に多い。特に指先の感覚は最も大切なので指、指先だけを使いたい時、手袋を外さなければならない。
そこで、指、指先のみを使う場合の指先出し入れ自由な手袋。
指先のみ使いたい時手袋を外す必要が無い。常に手袋として手全体保護しながら、手袋を外さずに指、指先が使える手袋。
【課題を解決するための手段】
【０００４】  手袋の指先を塞がず、手袋の指先を先端部を広げたり縮めたりを可能にするため、伸縮性のある糸、ゴム等で閉じる。
もしくは、全体を伸縮性のある布等で手袋を作る。先は塞がないが自然に指先が普通の手袋のように見える。
【考案の効果】
【０００５】  手先指先を使いたい時だけその部分だけを出して使え、手袋を外す手間が省ける。常時、手袋としてつけておくことが出来るので手全体の保護、美容を継続することが出来る。
【０００６】保護、美容、ハンドケア
手のケアは後回しにして過ごしてしまうことが多い。ケアしたい年齢が出るのは甲のシミ。指や甲はハンドクリームを塗ったまま手袋で保護しながら、指、指先を使って日常生活、家事、手作業が出来るので、昼間でも作業中でも何時でもハンドケアが可能。
また、就寝時、ハンドケア後保護しながら指先を使いたい時でも手袋を外す必要が無い。
【０００７】防寒、外出、スマートホン使用時等、指先だけのために手袋を外す必要が無い。
【０００８】紫外線防止時手の保護
洗濯物外干しの際乾漆の見極めが、指先のみ出ることで外す必要が無く手の紫外線防止効果がある。
【図面の簡単な説明】
【０００９】
【図１】本考案の手袋の略図  伸縮部具合例  ▲１▼指の途中  ▲２▼指先付近  ▲３▼指の付根  ▲４▼指先まで（閉じた状態）
【図１】
0003233946.tif 000003
(57)【要約】      （修正有）【課題】飲食店等での飲食時において、ウイルス等を含んだ飛沫の周囲への拡散あるいは周囲からの吸い込みなどに対して無防備な状態になることを防ぐ飲食用顔シールドを提供する。【解決手段】透明なプラスチックあるいはガラスの素材を飲食者の顔の前方を及び斜め前方を十分遮ることが出来る大きさに半円筒形に形成した飲食用顔シールド１は、その上部に懸垂穴２を設け、懸垂穴２に懸垂部３を固定し、飲食者の前方のほぼ顔の高さになるように天井または懸架物４から吊り下げて、飲食時にウイルス等を含んだ飛沫の周囲への拡散あるいは周囲からの吸い込みを防ぐ。【選択図】図５
0003233997.tif 000002
【実用新案登録請求の範囲】
【請求項１】
透明なプラスチックあるいはガラス等の素材を、飲食者の顔の前方および斜め前方を十分に遮ることができる大きさで半円筒形に形成した飲食用顔シールド（１）に、その上部には懸垂穴（２）を設け、その懸垂穴（２）には懸垂部（３）を固定し、懸垂部（３）のもう片方は天井または懸架物（４）に取り付けられるようにすることを特徴とする飲食用顔シールド。
【考案の詳細な説明】
【技術分野】
【０００１】この考案は飲食店等多人数で飲食する場所でのテーブル上に吊り下げて顔の前方を遮って、コロナウイルス菌等を含んだ飛沫の周囲への飛散を防ぐための飲食用顔シールドに関するものである。
【背景技術】
【０００２】現在大きな社会問題となっているコロナウイルス菌等による感染症の拡大防止にはマスクが大変効果的であることはすでによく知られている。
しかし飲食店等で飲食するときにはどうしてもマスクを外す必要があり、コロナウイルス菌等を含んだ飛沫（以下ウイルス飛沫という）の周囲への拡散に対して無防備な状態となっていた。
【考案の概要】
【考案が解決しようとする課題】
【０００３】この考案はこのような場所で飲食をする時にウイルス飛沫の拡散に対して無防備な状態になるのを防ぐためのものである。
【課題を解決するための手段】
【０００４】透明なプラスチックあるいはガラス等の素材を飲食者の顔の前方および斜め前方を十分に遮ることが出来る大きさで半円筒形に形成した顔シールド（以下飲食用顔シールド（１）という）に、その上部には懸垂用の穴（２）を設け（以下懸垂穴（２）という）、その懸垂穴（２）にはワイヤーやロープ等で懸垂部分（以下懸垂部（３）という）を固定し、懸垂部（３）のもう片方は天井または懸架物（４）に取り付けられるようにしたものである。
【考案の効果】
【０００５】飲食をするときには、飲食用顔シールド（１）の中心が顔の前方中央になるように着席する。
そのあとは今まで通りに飲食をするのであるが、もしこの時飲食に伴って顔の前方あるいは斜め前方に向かって飛ぶウイルス飛沫があれば、そのほとんどは飲食用顔シールド（１）の円筒形の内面によって遮られて、その場所に付着するか、あるいは飲食用顔シールド（１）内の下方のテーブル（５）上に落下する。
このため飲食者のウイルス飛沫が周囲に拡散することがない。
【図面の簡単な説明】
【０００６】
【図１】  本考案の正面図である
【図２】  本考案の平面図である
【図３】  本考案の側面図である
【図４】  本考案の斜視図である
【図５】  本考案の全体イメージ図である
【考案を実施するための形態】
【０００７】透明なプラスチックあるいはガラス等の素材を飲食者の前方および斜め前方を十分に遮ることが出来る大きさで半円筒形に形成した飲食用顔シールド（１）に、その上部には懸垂穴（２）を設け、その懸垂穴（２）には懸垂部（３）を固定し、懸垂部（３）のもう片方は天井または懸架物（４）に取り付けられるようにした飲食用顔シールド（１）である。
この考案を利用するときには飲食者はテーブル（５）上の前方にある飲食用顔シールド（１）を前に着席する。
このとき着席した飲食者の顔は飲食用顔シールド（１）のほぼ中央に位置し、顔の表面は飲食用顔シールド（１）の半円筒形の円の切断線上附近にあることが望ましい。
その後今まで通りに飲食をするのであるが、もしこの時飲食に伴って顔の前方あるいは斜め前方に向かって飛ぶウイルス飛沫があればそのほとんどは飲食用顔シールド（１）の半円筒形の内面によって遮られることになって、その場所に付着するかあるいは飲食用顔シールド（１）内の下方のテーブル（５）上に落下する。
このため従来のテーブル（５）に何らのウイルス飛沫対策を施さない場合と比べて、ウイルス飛沫の周囲への拡散を大幅に防止することができる。
またあまり望ましいことではないが会話をした場合においても同様に飲食用顔シールド（１）によって遮られて拡散を防止することができる。
給仕者が飲食物を飲食者の席に提供する際には飲食用顔シールド（１）の下部とテーブルの上面との間には空間があるのでそこを通して行うことができるので、飲食者と給仕者との間でのウイルス飛沫の伝播を防ぐことができる。
飲食後に飲食用顔シールド（１）の半円筒形の内側に付着した飛沫の除去と消毒作業をする場合には、半円筒形であり角等の死角となるところが存在しないので、簡単かつ完全なかたちで行うことができる。
この考案はテーブル（５）上に設置した従来の仕切り板等と比べてテーブル（５）上に何らの障害となる物がなく、テーブル（５）のクリーニング作業も簡単に行うことができる。
飲食用顔シールド（１）は透明であるため、飲食者あるいは相手側から相互に顔を確認することができる。
また飲食用顔シールド（１）とテーブル（５）上面との間には一定の空間が存在するので、圧迫感がなく室内美観を損なうことがない。
【符号の説明】
【０００８】    １  飲食用顔シールド
２  懸垂穴
３  懸垂部
４  天井または懸架物
５  テーブル
【図１】
0003233997.tif 000003
【図２】
0003233997.tif 000004
【図３】
0003233997.tif 000005
【図４】
0003233997.tif 000006
【図５】
0003233997.tif 000007
【手続補正書】
【提出日】令和3年5月17日(2021.5.17)
【手続補正１】
【補正対象書類名】実用新案登録請求の範囲
【補正対象項目名】請求項１
【補正方法】変更
【補正の内容】
【請求項１】
透明なプラスチックあるいはガラスの素材を、飲食者の顔の前方および斜め前方を十分に遮ることができる大きさで半円筒形に形成した飲食用顔シールド（１）に、その上部には懸垂穴（２）を設け、その懸垂穴（２）には懸垂部（３）を固定し、懸垂部（３）のもう片方は天井または懸架物（４）に取り付けられるようにすることを特徴とする飲食用顔シールド。
(57)【要約】      （修正有）【課題】油圧ショベル等のバケットに他のアタッチメントを簡単に取り付けられ、バケットサイズが違っても対応可能なバケット用装着機具を提供する。【解決手段】バケット用装着機具は、取り付け角度に対して柔軟性のある鎖３を使い、バケット背面にある水抜き穴に固定し、バケット先端の爪の形状に合わせた逆台形の筒状のケース１でアタッチメントにかかる力を受け止める。【選択図】図３
0003233996.tif 000002
【実用新案登録請求の範囲】
【請求項１】
本案はバケット先端の爪がちょうど入る逆台形の形状で筒状の  爪装着部１の下部から自在に動かせるＴ字形のストッパーを設けたプレート２を差し込み  プレート２の上部に鎖３を連結し  その鎖３の上部にボルト４を連結しそのボルト４にバケット背面の曲面に合わせたワッシャーを通しナットをそ装着したバケット用装着器具
【考案の詳細な説明】
【技術分野】
【０００１】本案は建設系油圧ショベルのバケットに他のアタッチメントを装着しようとした時に使う器具である。
【背景技術】
【０００２】従来  バケットに何かアタッチメントを装着しようとした時に強固に装着するためにはバケットに穴を開けてボルトで連結するしかなかった  また  バケット背面にある水抜き穴に固定しようとしてもボルトを通す穴の位置が角度的に合わなので  水抜き穴を利用するのは難しかった、またバケット先端には大きな力がかかるので、ボルトではなく爪で力を受け止める必要があった。
【考案の明示】
【考案が解決しようする課題】
【０００３】どのようなアタッチメントを装着しようとしても  その力はバケット先端の爪で受け止められるようにする方法  直線状では通すことが出来ないバケット背面の水抜き穴にボルトを通す方法、数多くあるバケットの寸法の違いに対応する方法  バケット背面にあるボルトを通した時  角度が合わないのでナットを締められない事に対応する方法
【課題を解決するための手段】
【０００４】本案の構造を図に基づいて説明すると  バケット先端の爪がちょうど入るくらいの逆台形の筒状のケース１の下部からストッパーの付いたプレート２を差し込み  プレート２の上部に鎖３を連結し  鎖３の上部にボルト４を連結し  ボルト４にはバケット背面の曲面に合わせたワッシャーを通しナットを付けた構造の  バケット装着機具
【考案の効果】
【０００５】本案を使用することにより  今までバケットに穴を開けて固定するしかなかったバケット用のアタッチメントを簡単に脱着出来るようになり、バケットサイズが違っても鎖の駒を減らしたり  シャックル等で足して伸ばしたり自在に出来るようになり  よって今までなかったアタッチメントがこれから多く出現し作業の効率化に役立つようになる
【考案を実施するための最良の形態】
【０００６】本案を使用する時は  作業に合ったアタッチメントを本案に装着し  先ずバケット先端の爪を上向きの状態にし  ケース１を鎖がバケットの内側に入るように被せ  ボルト４を  バケット背面の水抜き穴に通し  ワッシャーを通しナットで締あげて固定する
【図面の簡単な説明】
【０００７】
【図１】本考案の正面図
【図２】本考案の平面図
【図３】本考案の側面図
【図４】本考案の使用例
【０００８】▲１▼  爪を差し込むケース
▲２▼  ストッパーの付いたプレート
▲３▼  鎖
▲４▼  ボルト
▲５▼  バケット背面の曲線に合わせたワッシャー
▲６▼  ナット
▲７▼  アタッチメントの例
【図１】
0003233996.tif 000003
【図２】
0003233996.tif 000004
【図３】
0003233996.tif 000005
【図４】
0003233996.tif 000006
【手続補正書】
【提出日】令和3年5月17日(2021.5.17)
【手続補正１】
【補正対象書類名】実用新案登録請求の範囲
【補正対象項目名】請求項１
【補正方法】変更
【補正の内容】
【請求項１】
バケット先端の爪がちょうど入る逆台形の形状かつ筒状である爪装着部（１）が設けられ前記爪装着部（１）には下部から自在に動かせるＴ字形のストッパーを設けたプレート（２）が差し込まれ、前記プレート（２）の上部には鎖（３）が連結され、前記鎖（３）の上部にはボルト（４）が連結され、前記ボルト（４）にはバケット背面の曲面に合わせたワッシャー（５）が通されるとともにナット（６）が装着されたことを特徴とするバケット用装着機具。
(57)【要約】      （修正有）【課題】災害通信表示及び救難活動に活用できる救難空中ディスプレイ照明を提供する。【解決手段】救難空中ディスプレイ照明は、樹脂製光結像プレート（１）に全体を囲まれたプラスチック製透明箱（２）に光源（３）を挿入し、プラスチック製透明柱（４）で固定する。プラスチック製透明箱（２）内部にある電源（５）によりコントロールパネル（６）を用いて光源（３）を制御する。樹脂製光結像プレート（１）はプラスチック製透明固定板（７）で固定する。【選択図】図１
0003233995.tif 000002
【実用新案登録請求の範囲】
【請求項１】
複数の再帰反射材の樹脂製光結像プレートに囲まれた内部に光源を含んで構成される救難空中ディスプレイ照明であって、プラスチック製透明箱に設置した電源によりコントロールパネルを用いて制御することを特徴とする救難空中ディスプレイ照明
【考案の詳細な説明】
【考案の詳細な説明】
【技術分野】
【０００１】  保安機械器具分野
【背景技術】
【０００２】  従来、災害にあった人や遭難者が携帯している懐中電灯や小型電灯では、危険な状態から救助する機能が低く、活用するのに制限があった。
【考案の開示】
【考案が解決しようとする課題】
【０００３】  本案は、その欠点を除いて、しかも機能を活かした救難空中ディスプレイ照明を開発しようとするものである。
【課題を解決するための手段】
【０００４】  いま、その解決手段を図面を追いながら説明すれば
（イ）樹脂製光結像プレート（１）に全体を囲まれたプラスチック製透明箱（２）に光源（３）を挿入し、プラスチック製透明柱（４）で固定する。
（ロ）プラスチック製透明箱（２）内部にある電源（５）によりコントロールパネル（６）を用いて光源（３）を制御する。
（ハ）樹脂製光結像プレート（１）をプラスチック製透明固定板（７）で固定する。
【考案の効果】
【０００５】  本案は、以上のような構造であるから、これを使用する事により、救難照明を空中に結像して、救助に活用できる救難空中ディスプレイ照明である。
【考案を実施するための最良の形態】
【実施例】
【０００６】  なお、本案の実施にあたって次の如きことができる。
（イ）複数の再帰反射材の樹脂製光結像プレート（１）を使用する事により、光源（３）を空中に集光させて夜間でも救難活動する事ができる。
【図面の簡単な説明】
【０００７】
【図１】  本考案の救難空中ディスプレイ照明の正面図
【符号の説明】
【０００８】（１）樹脂製光結像プレート  （２）プラスチック製透明箱
（３）光源  （４）プラスチック製透明柱  （５）電源
（６）コントロールパネル  （７）プラスチック製透明固定板
【図１】
0003233995.tif 000003
【手続補正書】
【提出日】令和3年2月22日(2021.2.22)
【手続補正１】
【補正対象書類名】実用新案登録請求の範囲
【補正対象項目名】全文
【補正方法】変更
【補正の内容】
【実用新案登録請求の範囲】
【請求項１】
プラスチック製透明箱や透明柱で拡散反射した光源の光を空中ディスプレイする樹脂製光結像プレートを含んで構成される救難空中ディスプレイ照明であって、複数の長さや大きさの異なる組合せができる構造物を特徴とする救難空中ディスプレイ照明
【手続補正書】
【提出日】令和3年6月10日(2021.6.10)
【手続補正１】
【補正対象書類名】実用新案登録請求の範囲
【補正対象項目名】全文
【補正方法】変更
【補正の内容】
【実用新案登録請求の範囲】
【請求項１】
樹脂製光結像プレートに全体を囲まれたプラスチック製透明箱と、前記プラスチック製透明箱内部の光源と、前記光源を固定するプラスチック製透明柱と、前記プラスチック製透明箱内部に設置した電源と、前記電源により前記光源を制御するコントロールパネルと、を備えることを特徴とする救難空中ディスプレイ照明
(57)【要約】      （修正有）【課題】筆記具にスプレー機能を設けて、液体をスプレーする筆記具を提供する。【解決手段】筆記具２に、液体を充填するボトル部１と、液体をスプレーする排出構構部とから形成されるスプレーボトル本体を筆記具に設置することで、ボトル部に充填された液を容易にスプレーすることができる。【選択図】図１
0003233921.tif 000002
【実用新案登録請求の範囲】
【請求項１】
筆記具において、液体を充填するボトル部と前記液体をスプレーする排出構構部とから形成されるスプレーボトル本体を前記筆記具に設置したことを特徴とするスプレーボトル本体付き筆記具
【請求項２】
前記筆記具の所定の位置にスプレーボトル設置部を設け、前記スプレーボトル本体を前記スプレーボトル設置部に設置することを特徴とする請求項１記載のスプレーボトル本体付き筆記具
【考案の詳細な説明】
【技術分野】
【０００１】本考案は、筆記具にスプレーボトルが付属した文房具に関するものである。
【背景技術】
【０００２】従来の筆記具には、スプレーボトルが付いていなかった。昨今の状況を鑑みて、様々なシーンで使用できるようスプレーボトルを付けた筆記具である。
【先行技術文献】
【特許文献】
【０００３】
【特許文献１】特願２００３−２０２０５２
【考案の概要】
【考案が解決しようとする課題】
【０００４】  市販の筆記具は筆記専用なものがほとんどでスプレー機能がついていない。スプレー機能がついていてもスプレーボトルの取り外しにくいものが多い。
【課題を解決するための手段】
【０００５】  本考案は、液体を充填するボトル部と液体をスプレーする排出構構部とから形成されるスプレーボトル本体を筆記具に取外しを容易に設置することで、課題を解決できる。
【考案の効果】
【０００６】  本考案の筆記具のボトル部に消毒液を充填し、消毒液をスプレーすることで、除菌効果が可能となる。
【図面の簡単な説明】
【０００７】
【図１】本考案のスプレーボトル本体付き筆記具の組み立てた完成正面図である。
【図２】本筆記具のキャップ部を外した場合の拡大図である。
【図３】本筆記具の分解図である。
【図４】スプレーボトル部の分解図である。
【考案を実施するための形態】
【０００８】  スプレーボトル部は任意の液体を充填する。スプレーボトル部、例えば、消毒液、アルコール、香水などを入れることができる。そして、スプレーすることで除菌等を行う。
【実施例】
【０００８】  添付図面も用いて実施例を説明する。
図１に示す１は、スプレーボトル設置部であり、２は、筆記具部分であり任意の場所に筆記することができる。図３に示す３は、キャップ部で普段は覆われており、任意の液体を充填したいときに引っ張って外すことができる。４は、スプレーボトル本体である。図４に示す５は、スプレーボトル機構部である。６は、ボトル部である。【０００９】  図４に示す、５のスプレーボトル機構部と６のボトル部の接続部は螺旋状になっている。左回りで開け、右回りで閉める。【００１０】  スプレーを行うには３のキャップ部を外し、５の上部を押し４のスプレーボトル本体の内部の圧力が高まると、５のスプレーボトル機構部内バルブが開き、５のスプレーボトル機構部内の流体がノズルを通って噴出する。【００１１】  液体を補充したいときに３のキャップ部を引っ張って外し、４のスプレーボトル機構部を引っ張って取出し、５のスプレーボトル機構部と６のボトル部を回って開け、６のボトル部に液体を入れる。
【産業上の利用可能性】
【００１２】  消費者が、自分で使うためのスプレーボトル本体付き筆記具として使用することができる。消毒液、香水、アロマなどを入れ、様々な用途で気軽に持ち運べて使用することができる。
【符号の説明】
【００１３】１  スプレーボトル設置部
２  筆記具部分
３  キャップ部
４  スプレーボトル本体
５  スプレーボトル機構部
６  ボトル部
【図１】
0003233921.tif 000003
【図２】
0003233921.tif 000004
【図３】
0003233921.tif 000005
【図４】
0003233921.tif 000006
(57)【要約】      （修正有）【課題】廃棄物をその種類によって弁別して投棄することが可能な分別屑籠を提供する。【解決手段】分別屑籠１は、外籠１１と、外籠１１の中に納められる複数のカートリッジケース２、３、４とで形成される。【選択図】図１
0003233917.tif 000002
【実用新案登録請求の範囲】
【請求項１】
屑籠の中が、複数のカートリッジケースで区切られており、廃棄物の種類によって弁別して廃棄物を集めることが可能な、分別屑籠。
【請求項２】
前記カートリッジケースは、その側面もしくは底面に、収容された廃棄物を排出ための開閉蓋を持つことを特徴とする、請求項１に記載の分別屑籠
【考案の詳細な説明】
【技術分野】
【０００１】  本考案は、分別屑籠に関するものである。
【背景技術】
【０００２】  従来の屑籠は、一槽構造になっているため、廃棄物をその種類によって弁別して投棄するためには、廃棄物の種類の数だけ屑籠を必要とした。
【先行技術文献】
【特許文献】
【０００３】
【特許文献１】実全昭４７−０２０５２９号公報
【考案の概要】
【考案が解決しようとする課題】
【０００４】  本考案が解決しようとする課題は、一つの屑籠に、廃棄物をその種類によって弁別して投棄することが可能な屑籠を、提供することである。
【課題を解決するための手段】
【０００５】  前記課題を解決するために開発された分別屑籠は、外籠と、外籠の中に納められる複数のカートリッジケース、とで形成される。【０００６】  前記外籠および前記カーリッジケースの形状は、直方体をなす。【０００７】  前記カーリッジケースの数は、分別する廃棄物の種類に応じた数とする。【０００８】  各々のカーリッジケースのサイズは、分別する廃棄物の種類によって適宜決めるが、これらカートリッジを寄せ集めて外籠に納めるために、各々のカートリッジの開口面形状の和は、外籠の開口面の形状と一致しなければならない。【０００９】  前記カートリッジケースの上面開口部には、内部の廃棄物が見えないようにするために、開閉上蓋をとり付けても良い。【００１０】  前記カートリッジケースの側面もしくは底面に、廃棄物の排出を容易にするための排出用開閉口を設け、その開閉口には開閉下蓋をとり付けることが望ましい。【００１１】  前記カートリッジケースの開閉上蓋および開閉下蓋の蓋止め機構には、マグネットキャッチを用いることが望ましい。
【考案の効果】
【００１２】  上述のように、一つの屑籠に、廃棄物をその種類によって弁別して投棄することが可能な屑籠が提供され、書斎、事務室などでのスペースの倹約と作業の能率化に貢献する。
【図面の簡単な説明】
【００１３】
【図１】本考案の一実施例の分別屑籠を示す斜視図である。
【図２】図１において外籠に内包されるカートリッジケースの斜視図を示す。
【考案を実施するための形態】
【００１４】  図１に、分別する廃棄物を、
普通ゴミ、再生利用可能の廃紙、プラスチックゴミ、および、使用済み電池、の４種としたときの、本考案による分別屑籠の実施例の斜視図を示す。
【００１５】  この図に示すように、本実施例の分別屑籠は、外籠が４個のカートリッジケースを内包し、ゴミを種類によって分別して投棄することが可能になっている。
【００１６】  ４個のカートリッジケースは、それぞれ、
間口が広く開閉下蓋２１つきの普通ゴミカートリッジケース２、
再生利用可能廃紙カートリッジケース３、
開閉上蓋４１と開閉下蓋４２のついたプラゴミカートリッジケース４、および開閉上蓋５１のついた使用済み電池カートリッジケース５、
で構成されている。
【符号の説明】
【００１７】  １    分別屑籠
１１    外籠
２    普通ゴミカートリッジケース
２１    開閉下蓋
３    再生利用可能廃紙カートリッジケース
４    プラゴミカートリッジケース
４１    開閉上蓋
４２    開閉下蓋
５    使用済み電池カートリッジケース
５１    開閉上蓋
【図１】
0003233917.tif 000003
【図２】
0003233917.tif 000004